(57)【要約】      （修正有）【課題】簡単な構造で装着が容易で外れにくく茶葉や具材が容易に所望の部分に存在して、しかも液体が容器内に一様に充填されるようなカップ容器を得る。【解決手段】底部が開口部よりも直径が小さく、上部開口部に向けて直径を次第に拡大した形状の容器で、その内壁の任意の位置に中仕切り１２を設けて容器内を上下２室に区分したカップ容器であって、中仕切り１２には液体は通すが固形物は通り抜けない程度の孔２５が複数設けられ、しかも中仕切り１２周縁にはその基端部が折り曲げ可能な係止片１３が複数設けられ、これらの係止片１３を折り曲げ容器内壁と接触させることで、中仕切りをカップ容器内壁の任意の位置に係止するようにした汁物用カップ容器である。【選択図】図１
0003134971.tif 000002
【実用新案登録請求の範囲】
【請求項１】
底部が開口部よりも直径が小さく、上部開口部に向けて直径を次第に拡大した形状の容器で、その内壁の任意の位置に中仕切りを設けて容器内を上下２室に区分したカップ容器であって、前記中仕切りには液体は通すが固形物は通り抜けない程度の孔が複数設けられ、しかも中仕切り周縁にはその基端部が折り曲げ可能な係止片が複数設けられ、これらの係止片を折り曲げ容器内壁と接触させることで、前記中仕切りをカップ容器内壁の任意の位置に係止するようにした汁物用カップ容器。
【請求項２】
前記係止片の基端部の厚さを中仕切りの他の部分よりも薄くし、この部分での折れ曲げを容易にした請求項１記載の汁物用カップ容器。
【考案の詳細な説明】
【技術分野】
【０００１】
この考案は汁物用カップ容器に関し、容器内を上下２室に区分したカップ容器に関する。
【背景技術】
【０００２】
食品の容器には各種の形状があり、またそれに充填するものも各種のものがある。この容器の代表的なものの一つにカップ容器があり、そこに充填するものとしてみそ汁やお茶などの汁物、飲み物などがある。そうした汁物、飲み物用のカップ容器は、従来ありきたりの形をした通常のカップ容器が用いられてきた。しかし、そうした容器に例えば味噌汁を充填するときは、野菜などの具が容器底部に沈んだ状態となって、これを喫食するときに容器底部の具が食べにくいといった問題があった。また、お茶などの場合は茶漉しに代わるものが必要であったが、茶漉し網の固定方式が従来のものは複雑となるといった問題があった。
【０００３】
こうした容器の従来技術としては、コップに網部を設けてこれを押さえ部で押さえるグラス用氷押さえの技術が公知である（たとえば、特許文献１。）。また、茶わんに網み茶漉しを設けて、これを茶碗の内側に設けた溝で保持するようにしたものが公知である（たとえば、特許文献２。）。さらに、湯飲みに茶漉し網を挿入しこれをばねで固定したものが公知である（たとえば、特許文献３。）。
【特許文献１】特開２００１−１０４１３２（請求項１，図４）
【特許文献２】特開平８−６６２８７号（請求項１，図１）
【特許文献３】特開平９−２６２１６８号（請求項１，図５）
【考案の開示】
【考案が解決しようとする課題】
【０００４】
しかしながら、特許文献１ないし３のものは、いずれもカップ容器の構造としては複雑でコストのかかるものであって、さらに簡便で容易に固定できて外れにくい中仕切りをもったカップ容器が望まれていた。
【０００５】
この考案は、従来のカップ容器の問題を解消して簡単な構造で装着が容易で外れにくく、茶葉や具材が容易に所望の部分に存在することができて、しかも液体が容器内に一様に充填されるようなカップ容器を得ようとするものである。
【課題を解決するための手段】
【０００６】
この考案は、底部が開口部よりも直径が小さく、上部開口部に向けて直径を次第に拡大した形状の容器で、その内壁の任意の位置に中仕切りを設けて容器内を上下２室に区分したカップ容器であって、前記中仕切りには液体は通すが固形物は通り抜けない程度の孔が複数設けられ、しかも中仕切り周縁にはその基端部が折り曲げ可能な係止片が複数設けられ、これらの係止片を折り曲げ容器内壁と接触させることで、前記中仕切りをカップ容器内壁の任意の位置に係止するようにした汁物用カップ容器（請求項１）および前記係止片の基端部の厚さを中仕切りの他の部分よりも薄くし、この部分での折れ曲げを容易にした請求項１記載の汁物用カップ容器（請求項２）である。
【考案の効果】
【０００７】
この考案によれば中仕切りを簡単な構造とすることができ、しかも装着が容易で外れにくくすることができる。その上で、茶葉や具材が容易に所望の部分に存在することができて、しかも液体が容器内に一様に充填されるようなカップ容器を得ることができる。このために、具材などを容器の上部に位置させて喫食に便利にすることもできるとともに、反対にお茶などの場合は茶葉を容器の底部に位置させて簡単にお茶を飲むようにすることもできるものである。
【考案を実施するための最良の形態】
【０００８】
図１はこの考案の一実施例になる汁物用カップ容器の側面図である。図１において１０が容器本体である。この容器本体１０は、従来公知のカップ容器とほぼ同様の形状、サイズである。その材質についても従来と同様で、例えば薄手の発泡スチロールである。
【０００９】
図１で符号１２がこの考案で特に使用する中仕切りである。この中仕切りを展開したものが図２に示されている。図２に示すように、中仕切り１２は外形が円形で、その外周で放射状に多数の短冊状の係止片１３，１３，‥が取り付けられ花びら状となっている。係止片１３，１３，‥は、その基端部１６で全てが外側リング１４と接合されている。
【００１０】
中仕切り１２の内側、即ち係止片１３の基端部１６の内側は、中心部２０を中心にして外側に放射状にスポーク２１が設けられ、その先端に内側リング２２が設けられている。この内側リング２２のさらに外周には、同じようにして放射状にスポーク２３が設けられ、その先端に外側リング１４が設けられている。上記の放射状のスポーク２１，２３の間は空間をなす孔２５で通水路を形成するようになっている。また、係止片１３，１３，‥は、折り曲げが容易にできるように、図３（Ａ）に示すように基端部の部分で凹部１５を設けることが好ましい。
【００１１】
なお、中仕切り１２の内側、即ち係止片１３の基端部１６の内側部分は、ここを液体が容易に通過できるような構造であれば上記のもの限定されるものではなく、例えば図４に示すようにパンチング３０のほか、メッシュ構造、その他任意の構造とすることが可能である。また、係止片１３，１３，‥の折り曲げを容易にするための基端部の凹部は、図３の（Ｂ）に示すようなものでもよい。さらに、中仕切り１２の形状は図２および図４に示すものの外に、図５に示すように、外周に歯車状の係止片４０を設け、その基端部でこれを折り曲げるようにしたものでもよい。この中仕切りにあっても、係止片の基端部４１の部分で上記と同じような凹部を設けてこの部分で曲がり易くする。
【００１２】
この中仕切りをカップ容器に装着するには、中仕切りの周囲の係止片１３を基端部１６を起点として折り曲げて上方に立ち上げ、この状態で図１に示すようにしてカップ容器の上部開口部から下方へ挿入し、カップ容器の側壁で係止されるようにする。
【００１３】
中仕切り中心から中仕切り周縁基端部までの長さ（径）を調節すれば、容器の中で中仕切りが係止される位置を上方から下方へと任意に調節することが可能である。また、中仕切りの設ける孔のサイズ、大きさなどはこの容器に充填する具の形状、サイズによって任意に調節する。
【図面の簡単な説明】
【００１４】
【図１】この考案になる一実施例のカップ容器の側面図。
【図２】この考案に用いる中仕切りの展開図。
【図３】（Ａ）および（Ｂ）は、いずれも係止片の基端部に設けた凹部を拡大して示した説明図。
【図４】他の実施例の中仕切りの展開図。
【図５】他の実施例の中仕切りの展開図。
【符号の説明】
【００１５】
１０‥容器本体、１２‥中仕切り、１３‥係止片、１４‥外側リング、１５‥凹部、１６，４１‥基端部、２０‥中心部、２１，２３‥スポーク、２２‥内側リング、２５‥孔、３０‥パンチング、４０‥歯車状の係止片。
【図１】
0003134971.tif 000003
【図２】
0003134971.tif 000004
【図３】
0003134971.tif 000005
【図４】
0003134971.tif 000006
【図５】
0003134971.tif 000007